(57)【要約】【課題】首に掛けて吊り下げるストラップに装着されるストラップ連結具であって、首に接触する部分を、首に馴染むように可動させることができ、又、何らかの原因で２部品の分割が不能になった場合でも、危険を回避できる安全性の高いストラップ連結具を提供する。【解決手段】ストラップの一端に取付けられる一方連結部材と、ストラップの他端に取付けられる他方連結部材とが、中央連結部材を介して接続され、上記一方連結部材及び上記他方連結部材はそれぞれ上記中央連結部材に対し着脱自在に係合すると共に、上記各連結部材が互いの位置関係が変動しうるように係合し、ストラップに所定の引張力が作用した場合に、上記一方連結部材又は上記他方連結部材と上記中央連結部材との係合が解除されストラップが分断される。【選択図】        図６
2004344404.tif 000002
【特許請求の範囲】
【請求項１】
首に掛けて吊り下げるストラップに装着されるストラップ連結具であって、ストラップの一端に取付けられる一方連結部材と、ストラップの他端に取付けられる他方連結部材とが、中央連結部材を介して接続され、上記一方連結部材及び上記他方連結部材はそれぞれ上記中央連結部材に対し着脱自在に係合すると共に、上記各連結部材が互いの位置関係が変動しうるように係合し、ストラップに所定の引張力が作用した場合に、上記一方連結部材又は上記他方連結部材と上記中央連結部材との係合が解除されストラップが分断されうるように構成されていることを特徴とするストラップ連結具。
【請求項２】
上記中央連結部材は両端部を、上記一方連結部材及び上記他方連結部材に対し、それぞれ軸方向に対し適宜な角度傾斜しうるように連結されていることを特徴とする請求項１記載のストラップ連結具。
【請求項３】
上記中央連結部材は両端部を、上記一方連結部材及び上記他方連結部材に対し、それぞれ周方向に回転しうるように連結されていることを特徴とする請求項１又は２記載のストラップ連結具。
【請求項４】
上記一方連結部材及び上記他方連結部材は、プラスチックにより略円筒状に形成されると共に、その側面部に軸方向に沿ってスリットが形成され、その一方の端面部にストラップ係止孔部が形成されると共に、他方の端面部に上記中央連結部材の連結孔部が形成されていることを特徴とする請求項１、２又は３記載のストラップ連結具。
【請求項５】
上記中央連結部材はプラスチックにより中央棒状部とその両端に球状部を有する形状に形成されると共に、上記一方連結部材及び上記他方連結部材に形成された上記連結孔部には、上記中央連結部材の球状部が摺動しうる球面状内面部が形成されていることを特徴とする請求項３記載のストラップ連結具。
【発明の詳細な説明】
【０００１】
【発明の属する技術分野】
本発明は、ストラップ連結具に係り、特にストラップに所定の引張力が作用した場合に、ストラップを分断しうるように構成されたストラップ連結具に関する。
【０００２】
【従来の技術】
従来、ＩＤカード等はクリップ又はピンなどの留め具で衣服に取付けられることが多かった。しかしながら、最近は、ＩＤカード等を首に掛けて吊り下げられるようにストラップを取付けたものが多くなっている。また、携帯機器にもストラップが多く使用され、さらに、学童用アイテム、例えば、方位磁石やルーペなどにも、首に掛けるストラップを取付けて、吊り下げられるようにしたものが増えている。
【０００３】
ところで、ストラップを首に掛けた状態で、そのストラップが何らかの物に引っ掛かり、ストラップを引っ張る外力が作用すると、首が締め付けられてしまうという危険性がある。
【０００４】
そこで、安全性の観点から、ストラップに所定の引張力が作用した場合に、そのストラップが分断されうるように、分割可能な連結具付きのストラップが考案されている（例えば、特許文献１、特許文献２、特許文献３参照）。
【０００５】
【特許文献１】
特開２００１−２１１９２３号公報
【特許文献２】
実用新案登録第３０８６７２０号公報
【特許文献３】
特開２００２−１２５７４０号公報
【０００６】
しかしながら、上記公知例のストラップ連結具は、それぞれ係止部と被係止部を有して、互いに着脱自在な２部品によって構成されていて、互いに嵌合するように形成され、上記２部品の接続部はフレキシブルに変形できないので、ストラップを首に掛けて上記の連結具が首に接触したときに、その連結具が首にフィットせず、着用感が悪いという不具合がある。
【０００７】
また、従来のストラップ連結具にあっては、一方の部品に設けられた係止部は、弾性変形により他方部品の被係止部に対し係止し、また、その係止状態を解除できるように構成されているが、その係止部が何らかの原因で弾性変形不能となった場合に、連結具が分割できなくなって、ストラップが外力により引っ張られても分断せず首を締め付けるという危険性がある。
【０００８】
【発明が解決しようとする課題】
そこで本発明は、首に掛けて吊り下げるストラップに装着されるストラップ連結具であって、首に接触する部分を、首に馴染むように可動させることができて着用感が良く、又、何らかの原因で２部品の分割が不能になった場合でも、危険を回避できる安全性の高いストラップ連結具の提供を課題とする。
【０００９】
【課題を解決するための手段】
上記課題を解決するために、本発明のストラップ連結具は、首に掛けて吊り下げるストラップに装着されるストラップ連結具であって、ストラップの一端に取付けられる一方連結部材と、ストラップの他端に取付けられる他方連結部材とが、中央連結部材を介して接続され、上記一方連結部材及び上記他方連結部材はそれぞれ上記中央連結部材に対し着脱自在に係合すると共に、上記各連結部材が互いの位置関係が変動しうるように係合し、ストラップに所定の引張力が作用した場合に、上記一方連結部材又は上記他方連結部材と上記中央連結部材との係合が解除されストラップが分断されうるように構成されていることを特徴とするものである。
【００１０】
これにより、本発明に係るストラップ連結具にあっては、一方連結部材と、他方連結部材と、中央連結部材の３部品によって構成されることになるので、たとえ、一方連結部材と中央連結部材が何らかの原因で分割不能になっても、他方連結部材と中央連結部材との分割は可能であり、又、他方連結部材と中央連結部材が何らかの原因で分割不能になっても、一方連結部材と中央連結部材との分割は可能である。
すなわち、一方連結部材又は他方連結部材のいずれかが中央連結部材と分割可能に形成されているので、ストラップに所定の引張力が作用した場合に、そのストラップを確実に分断して、首の締め付けを防止することができる。
【００１１】
また、本発明のストラップ連結具は、上記中央連結部材は両端部を、上記一方連結部材及び上記他方連結部材に対し、それぞれ軸方向に対し適宜な角度傾斜しうるように連結されているものとすることができる。
【００１２】
これにより、本発明に係るストラップ連結具にあっては、中央連結部材と一方連結部材及び他方連結部材とのなす角度を自由にフレキシブルに変更することができるので、連結部材を首の曲面に馴染むように曲げることができて、着用感が向上する。
【００１３】
また、本発明のストラップ連結具は、上記中央連結部材が両端部を、上記一方連結部材及び上記他方連結部材に対し、それぞれ周方向に回転しうるように連結されているものとすることができる。
【００１４】
これにより、本発明に係るストラップ連結具にあっては、中央連結部材と一方連結部材及び他方連結部材との曲げ方向を自由にフレキシブルに変更することができるので、連結部材を首の曲面に馴染むような方向へ曲げることができて、着用感が向上する。
【００１５】
また、本発明のストラップ連結具は、上記一方連結部材及び上記他方連結部材が、プラスチックにより略円筒状に形成されると共に、その側面部に軸方向に沿ってスリットが形成され、その一方の端面部にストラップ係止孔部が形成されると共に、他方の端面部に上記中央連結部材の連結孔部が形成されているものとすることができる。
【００１６】
これにより、本発明に係るストラップ連結具にあっては、一方連結部材及び他方連結部材の側面部に軸方向に沿って形成されたスリットにより、それらの端面部に形成された連結孔部の内径が弾性変形により拡大容易となるので、中央連結部材の端部が着脱しやすくなる。
【００１７】
また、本発明のストラップ連結具は、上記中央連結部材がプラスチックにより中央棒状部とその両端に球状部を有する形状に形成されると共に、上記一方連結部材及び上記他方連結部材に形成された上記連結孔部には、上記中央連結部材の球状部が摺動しうる球面状内面部が形成されているものとすることができる。
【００１８】
これにより、本発明に係るストラップ連結具にあっては、中央連結部材の両端に形成された球状部が、一方連結部材及び他方連結部材に形成された連結孔部の球面状内面部を摺動することにより、一方連結部材及び他方連結部材に対する中央連結部材の動作が滑らかとなり、その結果、変形をスムースに行なうことができる。
【００１９】
【発明の実施の形態】
以下、添付した図面を用いて本発明の実施の形態について説明する。
まず、本実施の形態に係るッストラップ連結具１は、図１に示すように、首に掛けて吊り下げるストラップ２に装着されるストラップ連結具１であって、ストラップ２の一端に取付けられる一方連結部材３と、ストラップ２の他端に取付けられる他方連結部材４とが、中央連結部材５を介して接続され、上記一方連結部材３及び上記他方連結部材４はそれぞれ上記中央連結部材５に対し着脱自在に係合すると共に、上記各連結部材３，４，５が互いの位置関係が変動しうるように係合し、ストラップ２に所定の引張力が作用した場合に、上記一方連結部材３又は上記他方連結部材４が上記中央連結部材５から抜脱してストラップ２が分断しうるように構成されている。
また、上記中央連結部材５は、図１に示すように、その両端部を、上記一方連結部材３及び上記他方連結部材４に対し、それぞれ軸方向に対し適宜な角度傾斜しうるように連結されている。
また、上記中央連結部材５はその両端部を、上記一方連結部材３及び上記他方連結部材４に対し、それぞれ周方向に回転しうるように連結されている。
また、上記一方連結部材３及び上記他方連結部材４は、図２〜図４に示すように、プラスチックにより略円筒状に形成されると共に、その側面部全域に亘って軸方向に沿ってスリット６，７が形成され、その一方の端面部にストラップ係止孔部８，９が形成されると共に、他方の端面部に上記中央連結部材５の連結孔部１０，１１が形成されている。
また、上記中央連結部材５は、図５に示すように、プラスチックにより中央棒状部１２とその両端に球状部１３，１４を有する形状に形成されると共に、上記一方連結部材３及び上記他方連結部材４に形成された上記連結孔部１０，１１には、図１及び図４に示すように、上記中央連結部材５の球状部１３，１４が摺動しうる球面状内面部１５，１６が形成されている。
【００２０】
本実施の形態に係るストラップ連結具１は、図１に示すように、一方連結部材３と、他方連結部材４と、中央連結部材５という３部品によって構成され、これら３部品はいずれもプラスチックにより成形されている。
【００２１】
上記一方連結部材３には、図１に示すように、ストラップ２の一端が接続され、上記他方連結部材４にはストラップ２の他端が接続されるが、上記一方連結部材３及び上記他方連結部材４は、図２〜図４に示すように、同一構造及び同一形状に成形されている。
【００２２】
すなわち、図２〜図４に示すように、上記一方連結部材３と上記他方連結部材４は共に上記連結孔部１０，１１側からストラップ係止孔部８，９側にかけてテーパを有する円筒形に形成されている。なお、本実施の形態に係る一方連結部材３と他方連結部材４の素材にはＡＢＳ樹脂を使用しているが、使用する素材は自由であり、これに限定されるものではない。
【００２３】
また、図２及び図３に示すように、上記一方連結部材３と上記他方連結部材４の側面部には、一方の端面部から他方の端面部まで、軸方向のスリット６，７が形成されている。
【００２４】
また、図４に示すように、上記一方連結部材３と上記他方連結部材４における一方の端面部にはそれぞれストラップ係止孔部８，９が形成されている。
【００２５】
ストラップ２は、図１に示すように、両端部が上記ストラップ係止孔部８，９に挿入されて接続されている。上記ストラップ２は、その両端部に形成された結び目２ａ，２ｂ又は瘤状部がストラップ係止孔部８，９の内部に形成された係止段部８ａ，９ａに係止されて抜け止めされている。
【００２６】
また、図４に示すように、上記一方連結部材３と上記他方連結部材４における他方の端面部にはそれぞれ上記中央連結部材５の連結孔部１０，１１が形成されている。
【００２７】
上記中央連結部材５は、図５に示すように、中央棒状部１２と、その両端に形成された球状部１３，１４とを有して形成されている。上記中央棒状部１２は円柱形に形成され、上記球状部１３，１４の外径は上記中央棒状部１２の外形より大きく形成されている。
なお、本実施の形態に係る上記中央連結部材５は上記一方連結部材３及び上記他方連結部材４と同じＡＢＳ樹脂により成形されているが、素材は自由であり、これに限定されるものではない。
【００２８】
上記一方連結部材３及び上記他方連結部材４に形成された上記連結孔部１０，１１には、図１及び図４に示すように、上記中央連結部材５の球状部１３，１４が摺動しうる球面状内面部１５，１６が形成されており、上記球状部１３，１４と上記球面状内面部１５，１６は同一の曲率で形成されている。
【００２９】
【作用】
以下、本実施の形態に係るストラップ連結具１の作用について説明する。
まず、図１に示すように、上記一方連結部材３の一方の端面部に形成されたストラップ係止孔部８にストラップ２の一端を繋ぎ、上記他方連結部材４の一方の端面部に形成されたストラップ係止孔部９にストラップ２の他端を繋ぐと、ストラップ２は輪状に連結されて首に掛けることができる。
【００３０】
なお、ストラップ２には、図示しないが、ＩＤカードや、携帯機器、さらに、学童用アイテム、例えば、方位磁石やルーペなどを取付けることができる。
【００３１】
上記のようにストラップ連結具１を用いて輪状にしたストラップ２を首に掛けた状態で、そのストラップ２が何かに引っ掛かって引っ張られた場合に、その引張力がある程度以上になると、図６に示すように、一方連結部材３の連結孔部１０と中央連結部材５の球状部１３との係合が解除されて、一方連結部材３と中央連結部材５が分割されてストラップ２は分断されるか、又は、他方連結部材４の連結孔部１１と中央連結部材５の球状部１４との係合が解除されて、他方連結部材４と中央連結部材５が分割されてストラップ２は分断される。従って、一方連結部材３又は他方連結部材４のいずれかが中央連結部材５から分割される。
【００３２】
したがって、例えば、他方連結部材３と中央連結部材５が何らかの原因で分割できない状態になってしまっても、一方連結部材３と中央連結部材５を分割できるのでストラップ２は分断可能であり、安全性が確保される。
【００３３】
また、上記一方連結部材３と他方連結部材４が上記球状部１３，１４により回動できて、中央連結部材５の軸方向に対して適宜傾斜可能に形成されていることから、ストラップ２の接続部分がフレキシブルに折曲変形できる。
【００３４】
【発明の効果】
請求項１記載の本発明のストラップ連結具は、一方連結部材と、他方連結部材と、中央連結部材の３部品によって構成されているので、全体として２箇所の接続部が形成されることから、ストラップの長さ方向における様々な外力の入力に対してフレキシブルに対応できる。また、例えば、一方連結部材と中央連結部材の分割が何らかの原因で不能になっても、他方連結部材と中央連結部材との分割は可能であり、又、他方連結部材と中央連結部材の分割が何らかの原因で不能になっても、一方連結部材と中央連結部材との分割は可能なので、ストラップに引張力が作用した場合に、そのストラップを確実に分断して首の締め付けを防止することができ、安全性が高い。
【００３５】
請求項２記載の本発明のストラップ連結具は、上記請求項１の効果に加えて、中央連結部材の両端部が、一方連結部材及び他方連結部材に対し、それぞれ軸方向に対し適宜な角度傾斜しうるように連結されているので、連結部材を首の形状にフィットするようによりフレキシブルに曲げることができて、着用感を向上させることができる。
【００３６】
請求項３記載の本発明のストラップ連結具は、上記請求項１及び２の効果に加えて、上記中央連結部材の両端部が、上記一方連結部材及び上記他方連結部材に対し、それぞれ周方向に回転しうるように連結されているので、中央連結部材と一方連結部材及び他方連結部材との曲げ方向を自由にフレキシブルに変更することができるので、連結部材を首の曲面に馴染むような方向へ曲げることができて、より着用感が向上する。
【００３７】
請求項４記載の本発明のストラップ連結具は、上記請求項１、２及び３の効果に加えて、一方連結部材及び他方連結部材の側面部に軸方向のスリットが形成されているので、それらの端面部に形成された連結孔部の内径が弾性変形により拡大容易となり、中央連結部材の端部が着脱しやすいというメリットがある。
【００３８】
請求項５記載の本発明のストラップ連結具は、上記請求項１、２、３及び４の効果に加えて、中央連結部材の両端に形成された球状部が、一方連結部材及び他方連結部材に形成された連結孔部の球面状内面部を摺動しうるように形成されているので、一方連結部材及び他方連結部材に対する中央連結部材の動作が滑らかであり、変形をスムースに行なうことができる。
【図面の簡単な説明】
【図１】本実施の形態に係るストラップ連結具の中央連結部材が一方連結部材及び他方連結部材に連結した状態を示す断面図である。
【図２】本実施の形態に係るストラップ連結具の一方連結部材及び他方連結部材の側面図である。
【図３】本実施の形態に係るストラップ連結具の一方連結部材及び他方連結部材の正面図である。
【図４】図４のＡ−Ａ線断面図である。
【図５】本実施の形態に係るストラップ連結具の中央連結部材の側面図である。
【図６】本実施の形態に係るストラップ連結具の中央連結部材と一方連結部材が分割した状態を示す断面図である。
【符号の説明】
１  ストラップ連結具
２  ストラップ
２ａ  結び目
２ｂ  結び目
３  一方連結部材
４  他方連結部材
５  中央連結部材
６  スリット
７  スリット
８  ストラップ係止孔部
８ａ  係止段部
９  ストラップ係止孔部
９ａ  係止段部
１０  連結孔部
１１  連結孔部
１２  中央棒状部
１３  球状部
１４  球状部
１５  球面状内面部
１６  球面状内面部
【図１】
2004344404.tif 000003
【図２】
2004344404.tif 000004
【図３】
2004344404.tif 000005
【図４】
2004344404.tif 000006
【図５】
2004344404.tif 000007
【図６】
2004344404.tif 000008